(57)【特許請求の範囲】
【請求項１】
腰部、側部、及び裾口部を有する本体部を備え、
前記本体部は、前記側部において前記腰部と前記裾口部とを結ぶ結合ラインに沿って前身頃と後身頃とを結合して構成され、
前記後身頃は、縦方向及び横方向に伸縮性を有する素材によって形成されていると共に、前記縦方向に対する伸縮性が前記横方向に対する伸縮性と等しく若しくは大きくなっており、
前記後身頃における前記腰部周りのラインと前記結合ラインとにそれぞれギャザーが設けられており、
前記裾口部は、直立時の着用状態において、側面から見た場合に、前記結合ラインとの交差位置から股下位置までの前記後身頃側のラインに直線部分が形成されるように湾曲部分を有しているボトム衣類。
【請求項２】
腰部、側部、及び裾口部を有する本体部を備え、
前記本体部は、前記側部において前記腰部と前記裾口部とを結ぶ結合ラインに沿って前身頃と後身頃とを結合して構成され、
前記後身頃は、縦方向及び横方向に伸縮性を有する素材によって形成されていると共に、前記縦方向に対する伸長率が８０％以上となっており、
前記伸長率は、ＪＩＳ  Ｌ  １０９６の引張試験における試験片枚数を縦方向及び横方向に２枚ずつとし、引張速度を３００ｍｍ±２０ｍｍ／ｍｉｎとし、荷重を最大２．２５ｋｇｆ（２２．１Ｎ）とし、荷重１．００ｋｇｆ（９．８Ｎ）の場合の伸び率（％）についての２枚の試験片の平均値の整数位を縦方向又は横方向に対する伸長率とする伸長率試験によって算出され、
前記後身頃における前記腰部周りのラインと前記結合ラインとにそれぞれギャザーが設けられており、
前記裾口部は、直立時の着用状態において、側面から見た場合に、前記結合ラインとの交差位置から股下位置までの前記後身頃側のラインに直線部分が形成されるように湾曲部分を有しているボトム衣類。
【請求項３】
腰部、側部、及び裾口部を有する本体部を備え、
前記本体部は、前記側部において前記腰部と前記裾口部とを結ぶ結合ラインに沿って前身頃と後身頃とを結合して構成され、
前記後身頃は、縦方向及び横方向に伸縮性を有する素材によって形成されていると共に、前記縦方向に対する伸縮性が前記横方向に対する伸縮性と等しく若しくは大きくなっており、
前記後身頃における前記腰部周りのラインと前記結合ラインとにそれぞれギャザーが設けられており、
前記結合ラインは、前記後身頃側が凸となるように湾曲部分を有しているボトム衣類。
【請求項４】
腰部、側部、及び裾口部を有する本体部を備え、
前記本体部は、前記側部において前記腰部と前記裾口部とを結ぶ結合ラインに沿って前身頃と後身頃とを結合して構成され、
前記後身頃は、縦方向及び横方向に伸縮性を有する素材によって形成されていると共に、前記縦方向に対する伸長率が８０％以上となっており、
前記伸長率は、ＪＩＳ  Ｌ  １０９６の引張試験における試験片枚数を縦方向及び横方向に２枚ずつとし、引張速度を３００ｍｍ±２０ｍｍ／ｍｉｎとし、荷重を最大２．２５ｋｇｆ（２２．１Ｎ）とし、荷重１．００ｋｇｆ（９．８Ｎ）の場合の伸び率（％）についての２枚の試験片の平均値の整数位を縦方向又は横方向に対する伸長率とする伸長率試験によって算出され、
前記後身頃における前記腰部周りのラインと前記結合ラインとにそれぞれギャザーが設けられており、
前記結合ラインは、前記後身頃側が凸となるように湾曲部分を有しているボトム衣類。
【請求項５】
前記後身頃において、前記縦方向に対する伸長率が前記横方向に対する伸長率の１．０倍〜２．７倍となっており、
前記伸長率は、ＪＩＳ  Ｌ  １０９６の引張試験における試験片枚数を縦方向及び横方向に２枚ずつとし、引張速度を３００ｍｍ±２０ｍｍ／ｍｉｎとし、荷重を最大２．２５ｋｇｆ（２２．１Ｎ）とし、荷重１．００ｋｇｆ（９．８Ｎ）の場合の伸び率（％）についての２枚の試験片の平均値の整数位を縦方向又は横方向に対する伸長率とする伸長率試験によって算出される請求項１〜４のいずれか一項記載のボトム衣類。
【請求項６】
前記後身頃において、前記縦方向に対する伸長回復率が前記横方向に対する伸長回復率の１．０倍〜１．１倍となっており、
前記伸長回復率は、ＪＩＳ  Ｌ  １０９６の引張試験における試験片枚数を縦方向及び横方向に２枚ずつとし、引張速度を３００ｍｍ±２０ｍｍ／ｍｉｎとし、荷重を最大２．２５ｋｇｆ（２２．１Ｎ）とし、荷重１．５０ｋｇｆ（１４．７Ｎ）の場合の伸び率（％）についての２枚の試験片の平均値の整数位を縦方向又は横方向に対する伸長率とする伸長率試験を用い、伸長率試験での荷重１．５０ｋｇｆ時の伸び率が８０％以上である場合には、伸度設定Ｌを８０％とし、伸長率試験での荷重１．５０ｋｇｆ時の伸び率が６０％以上８０％未満である場合には、伸度設定Ｌを６０％とし、伸長率試験での荷重１．５０ｋｇｆ時の伸び率が４０％以上６０％未満である場合には、伸度設定Ｌを４０％とし、引張速度３００ｍｍ±２０ｍｍ／ｍｉｎで試験片を伸長及び回復させ、伸長回復後の元の長さに対する伸び率である残留伸びをＬ０とした場合に（（Ｌ−Ｌ０）／Ｌ）×１００（％）により算出される値についての２枚の試験片の平均値の整数位を縦方向又は横方向に対する伸長回復率とする伸長回復率試験によって算出される請求項１〜５のいずれか一項記載のボトム衣類。
【請求項７】
縫い縮める前の生地の寸法を縫い縮めた後の生地の寸法で除算した値をギャザー量とすると、前記ギャザーのギャザー量は、１．１倍〜１．３倍となっている請求項１〜６のいずれか一項記載のボトム衣類。
【発明の詳細な説明】
【技術分野】
【０００１】
本発明は、ボトム衣類に関する。
【背景技術】
【０００２】
ショーツなどのボトム衣類では、着用者の臀部を覆うように本体部の生地が宛がわれる。従来のボトム衣類では、着用者の動作によって裾口部のラインが臀部側でずれ上がり、臀部がボトム衣類からはみ出てしまうという課題があった。ボトム衣類の購入者の大半は、ブラジャーとショーツとをセットで購入しているという背景があり、運動時においてもブラジャーとペアになる普段のショーツを着用していることが推測される。したがって、多数の着用者がボトム衣類における裾口部のラインのずれ上がりを経験しているという事情が存在している。【０００３】
このような課題に対し、例えば特許文献１に記載のボトム衣類では、臀部の膨らみに対応するヒップカップ部が前身頃側に一体的に設けられ、後身頃の左右両側辺部とヒップカップ部との縫着ラインの最下端を中心に、裾口部周りを含むラインにギャザーが設けられている。
【先行技術文献】
【特許文献】
【０００４】
【特許文献１】特開２００１−４９５０３号公報
【発明の概要】
【発明が解決しようとする課題】
【０００５】
上述した特許文献１のようなボトム衣類では、ギャザーの締付力によって裾口部のずれ上がりが防止されるようになっている。このような従来の構成では、肌に裾口部を喰い込ませることで裾口部のラインを安定させている。したがって、着用時にギャザーの締付力が強く作用し、着用感が損なわれてしまうおそれがある。【０００６】
本発明は、上記課題の解決のためになされたものであり、快適な着用感を維持しつつ、裾口部のずれ上がりを防止できるボトム衣類を提供することを目的とする。
【課題を解決するための手段】
【０００７】
上記課題の解決のため、一側面に係るボトム衣類は、腰部、側部、及び裾口部を有する本体部を備え、本体部は、側部において腰部と裾口部とを結ぶ結合ラインに沿って前身頃と後身頃とを結合して構成され、後身頃は、縦方向及び横方向に伸縮性を有する素材によって形成されていると共に、縦方向に対する伸縮性が横方向に対する伸縮性と等しく若しくは大きくなっており、後身頃における腰部周りのラインと結合ラインとにそれぞれギャザーが設けられている。【０００８】
ボトム衣類の着用者が脚部を動かす際（例えば前屈動作など）、臀部の皮膚は、縦方向に沿って臀溝側に下方に延びると共に、横方向に沿って体の側方に延びる傾向がある。また、縦方向への皮膚の伸びは、横方向への皮膚の伸びに比べて大きいという傾向がある。このボトム衣類では、後身頃において、縦方向に対する伸縮性が横方向に対する伸縮性と等しく若しくは大きくなっている。このため、脚部を動かす際の皮膚の動きに後身頃を追従させることができる。さらに、このボトム衣類では、後身頃における腰部周りのラインと、本体部の側部における前身頃及び後身頃の結合ラインとにそれぞれギャザーが設けられている。これらのギャザーにより、着用後の後身頃の伸びしろが十分に確保され、皮膚の動きに対する後身頃の追従性が高められる。したがって、このボトム衣類では、裾口部周りの締付力を強めることなく、快適な着用感を維持しつつ、裾口部のずれ上がりを防止できる。【０００９】
また、一側面に係るボトム衣類は、腰部、側部、及び裾口部を有する本体部を備え、本体部は、側部において腰部と裾口部とを結ぶ結合ラインに沿って前身頃と後身頃とを結合して構成され、後身頃は、縦方向及び横方向に伸縮性を有する素材によって形成されていると共に、縦方向に対する伸長率が８０％以上となっており、後身頃における腰部周りのラインと結合ラインとにそれぞれギャザーが設けられている。【００１０】
ボトム衣類の着用者が脚部を動かす際（例えば前屈動作など）、臀部の皮膚は、縦方向に沿って臀溝側に下方に延びると共に、横方向に沿って体の側方に延びる傾向がある。また、縦方向への皮膚の伸びは、横方向への皮膚の伸びに比べて大きいという傾向がある。このボトム衣類では、後身頃において、縦方向に対する伸長率が８０％以上となっている。このため、脚部を動かす際の皮膚の動きに後身頃を追従させることができる。さらに、このボトム衣類では、後身頃における腰部周りのラインと、本体部の側部における前身頃及び後身頃の結合ラインとにそれぞれギャザーが設けられている。これらのギャザーにより、着用後の後身頃の伸びしろが十分に確保され、皮膚の動きに対する後身頃の追従性が高められる。したがって、このボトム衣類では、裾口部周りの締付力を強めることなく、快適な着用感を維持しつつ、裾口部のずれ上がりを防止できる。【００１１】
また、裾口部は、着用状態において結合ラインとの交差位置から股下位置までの後身頃側のラインに直線部分が形成されるように湾曲部分を有していてもよい。このような構成により、裾口部のラインを臀部での皮膚の動きの少ない部分に沿わせることが可能となる。したがって、裾口部のずれ上がりをより確実に防止できる。【００１２】
また、結合ラインは、前記後身頃側が凸となるように湾曲部分を有していてもよい。この場合、結合ラインにおけるギャザーの形成し易さを確保できる。【００１３】
また、後身頃において、縦方向に対する伸長率が横方向に対する伸長率の１．０倍〜２．７倍となっていてもよい。この範囲では、皮膚の動きに対する後身頃の追従性を十分に確保でき、裾口部のずれ上がりを好適に防止できる。【００１４】
また、後身頃において、縦方向に対する伸長回復率が横方向に対する伸長回復率の１．０倍〜１．１倍となっていてもよい。この範囲では、皮膚の動きに対する後身頃の追従性を十分に確保でき、裾口部のずれ上がりを好適に防止できる。【００１５】
また、ギャザーのギャザー量は、１．１倍〜１．３倍となっていてもよい。この範囲では、着用後の後身頃の伸びしろを十分に確保でき、裾口部のずれ上がりを好適に防止できる。
【発明の効果】
【００１６】
このボトム衣類によれば、快適な着用感を維持しつつ、裾口部のずれ上がりを防止できる。
【図面の簡単な説明】
【００１７】
【図１】ボトム衣類の一実施形態を示す正面図である。
【図２】図１に示したボトム衣類の背面図である。
【図３】図１に示したボトム衣類の着用状態を示す側面図である。
【図４】図１に示したボトム衣類の着用状態を背面後方から示す斜視図である。
【図５】屈曲動作時の臀部の皮膚の動きを示す図であり、（ａ）は直立時、（ｂ）は前屈時である。
【図６】大転子と股下との間の臀溝に沿うラインの皮膚の変化の様子を示す図であり、（ａ）は直立時、（ｂ）は脚上げ時である。
【図７】大転子と股下とを直線的に結ぶラインの皮膚の変化の様子を示す図であり、（ａ）は直立時、（ｂ）は脚上げ時である。
【図８】図１に示したボトム衣類の作用効果を示す図であり、（ａ）は着用直後、（ｂ）は運動後である。
【発明を実施するための形態】
【００１８】
以下、図面を参照しながら、一側面に係るボトム衣類の好適な実施形態について詳細に説明する。
［ボトム衣類の構成］
【００１９】
図１は、ボトム衣類の一実施形態を示す正面図である。また、図２は、その背面図である。図１及び図２に示すように、ボトム衣類１は、例えば女性用のショーツとして構成されている。ボトム衣類１は、着用者の腹部、腰部、股部、臀部を覆うように形成された本体部２を備えている。本体部２は、前身頃３と後身頃４とを側部５で結合することによって構成され、着用者の腰周りに対応する腰部６と、着用者の両脚を通す左右の裾口部７とを有している。
【００２０】
前身頃３及び後身頃４は、縦方向及び横方向に伸縮性を有する素材によって形成されている。縦方向とは、本体部２の上下方向であり、腰部６と裾口部７とを結ぶ直線方向である。また、横方向とは、本体部２の左右方向であり、腰部６周りに略一致する周方向である。前身頃３及び後身頃４に用いられる素材としては、例えば天竺、フライス、ツーウェイトリコットなどの編み組織が挙げられる。また、これらの素材は、端始末不要な編み組織となっていることが好ましい。
【００２１】
後身頃４では、縦方向に対する伸縮性が横方向に対する伸縮性と等しく若しくは大きくなっている。より具体的には、後身頃４では、縦方向に対する伸長率が８０％以上となっており、横方向に対する伸長率の１．０倍〜２．７倍となっている。また、後身頃４では、縦方向に対する伸長回復率が横方向に対する伸長回復率の１．０倍〜１．１倍となっている。このような伸縮性の方向性は、例えば縦方向と横方向とで生地の編み方を変えることによって実現できる。本実施形態では、前身頃３及び後身頃４は、同素材で形成されており、縦方向及び横方向に対する伸縮性が同等となっている。
【００２２】
前身頃３と後身頃４との結合ラインＬ１は、図３に示すように、本体部２の側中心線Ｘと腰部６との交差位置Ｐ１と、本体部２の側中心線Ｘと裾口部７との交差位置Ｐ２とを結ぶように、本体部２の上下に延在している。この結合ラインＬ１は、全体にわたって後身頃側が凸となるように緩やかに湾曲する湾曲部分Ｌａとなっている。なお、本体部２の側中心線Ｘは、着用状態において着用者の体側線に略一致する。したがって、本体部２の側中心線Ｘと裾口部７との交差位置Ｐ２は、着用状態において着用者の大転子の位置に対応する。
【００２３】
また、前身頃３と後身頃４との結合ラインＬ１と、後身頃４における腰部６周りのラインＬ２とには、図３及び図４に示すように、それぞれギャザー１１が設けられている。ギャザーとは、生地を縫い縮めて寄せたひだである。ギャザー１１の特性は、ギャザー量（倍率）で表される。ギャザー量は、縫い縮める前の生地の寸法を縫い縮めた後の生地の寸法で除算した値である。
【００２４】
ギャザー１１のギャザー量は、ボトム衣類１のサイズに応じて適宜変更可能であるが、例えば１．１倍〜１．３倍の範囲で設定される。前身頃３と後身頃４との結合ラインＬ１に設けられたギャザー１１のギャザー量は、後身頃４における腰部６周りのラインＬ２に設けられたギャザー１１のギャザー量よりも大きく設定されていることが好適であるが、互いに等しいギャザー量であってもよい。なお、前身頃３における腰部６周りのラインＬ２には、ギャザー１１は設けられておらず、端始末のみが施されている。
【００２５】
また、裾口部７は、図２に示すように、着用状態において結合ラインＬ１との交差位置Ｐ２から股下位置Ｐ３までの後身頃４側のラインＬ３に直線部分Ｌｃ（図４参照）が形成されるように湾曲部分Ｌｂを有している。股下位置Ｐ３は、裾口部７周りのラインＬ３の最下点となる位置であり、着用状態において着用者の股間（鼠径部の最下点）に対応する位置である。
【００２６】
本実施形態では、着用状態において直線部分Ｌｃが交差位置Ｐ２から股下位置Ｐ３までの全体にわたって形成されるように、裾口部７の湾曲部分Ｌｂの形状が設定されている。すなわち、湾曲部分Ｌｂは、図２及び図３に示すように、着用時に本体部２の伸縮性によって伸びたときに直線部分Ｌｃに変形するようになっている。裾口部７周りのラインＬ３は、全体にわたって端始末は施されておらず、裁断のみによって形成されている。これにより、加工の手間や端始末に用いる分の生地のカットロスが回避されている。また、裾口部７周りのラインにテープ類を配置せずに済むので、着用時に裾口部７が肌に喰い込むことを抑制できる。
［ボトム衣類の作用効果］
【００２７】
まず、ボトム衣類１の構成の前提となる人体の情報について説明する。
【００２８】
図５は、屈曲動作時の臀部の皮膚の動きを示す図である。同図に示す例は、人体の臀部に略等間隔で格子状に印を付け、直立時と前屈時とで印の位置の変化を観察したものである。図５（ａ）に示すように、直立時では、印で囲まれる領域Ｒが略正方形状をなしていたのに対し、図５（ｂ）に示すように、前屈時では、体の側方側の印ほど下方に移動し、印で囲まれる領域Ｒが略菱形状に変形する。この結果から、人体の臀部の皮膚は、前屈動作に伴って、縦方向に沿って臀溝側に下方に延びると共に、横方向に沿って体の側方に延びる傾向があることが分かる。また、縦方向への皮膚の伸びは、横方向への皮膚の伸びに比べて大きいという傾向があることが分かる。
【００２９】
これに対し、ボトム衣類１では、上述したように、後身頃４が縦方向及び横方向に伸縮性を有する素材によって形成されていると共に、縦方向に対する伸縮性が横方向に対する伸縮性と等しく若しくは大きくなっている。このため、脚部を動かす際の臀部の皮膚の動き、すなわち、図５に示した縦方向及び横方向への皮膚の伸びに後身頃４を追従させることができる。
【００３０】
さらに、ボトム衣類１では、図２等に示したように、後身頃４における腰部６周りのラインＬ２と、本体部２の側部５における前身頃３及び後身頃４の結合ラインＬ１とにそれぞれギャザー１１が設けられている。後身頃４における腰部６周りのラインＬ２に設けられたギャザー１１は、後身頃４の横方向に延在し、前身頃３及び後身頃４の結合ラインＬ１に設けられたギャザー１１は、後身頃４の縦方向に延在している。このため、着用によって後身頃４が縦方向及び横方向に伸びた後においても、後身頃４の縦方向及び横方向への伸びしろが十分に確保され、臀部の皮膚の動きに対する後身頃４の追従性が高められる。したがって、ボトム衣類では、裾口部７周りの締付力を強めることなく、快適な着用感を維持しつつ、裾口部７のずれ上がりを防止できる。
【００３１】
また、ボトム衣類１では、後身頃４において、縦方向に対する伸長率が横方向に対する伸長率の１．０倍〜２．７倍となっている。また、縦方向に対する伸長回復率が横方向に対する伸長回復率の１．０倍〜１．１倍となっている。この範囲とすることで、臀部の皮膚の動きに対する後身頃４の追従性を十分に確保でき、裾口部７のずれ上がりをより好適に防止できる。さらに、ボトム衣類１では、ギャザー１１のギャザー量は、１．１倍〜１．３倍となっている。この範囲とすることで、着用後の後身頃４の伸びしろを十分に確保でき、裾口部７のずれ上がりをより好適に防止できる。
【００３２】
また、ボトム衣類１では、結合ラインＬ１において、後身頃４側が凸となるように湾曲部分Ｌａが設けられている。このような湾曲部分Ｌａを設けることにより、結合ラインＬ１におけるギャザー１１の形成し易さを確保できる。
【００３３】
また、図６及び図７は、大転子と股下との間の臀溝に沿うラインの皮膚の変化の様子を示す図である。同図に示す例は、人体の大転子と股下とを結んだラインに紐を当て、直立時と脚上げ時とでラインの変化を観察したものである。図６（ａ）に示すように、直立時において、大転子Ａと股下Ｂとを臀溝Ｃに沿って結ぶラインＤ１に紐Ｅを当てた場合、図６（ｂ）に示すように、脚上げ時では、紐ＥがラインＤ１から離間する。
【００３４】
一方、図７（ａ）に示すように、直立時において、臀溝Ｃに沿わせずに大転子Ａと股下Ｂとを直線的に結ぶラインＤ２に紐Ｅを当てた場合、図７（ｂ）に示すように、脚上げ時においても、紐ＥがラインＤ２に沿った状態（紐Ｅが臀部に密着した状態）が維持される。これらの結果から、大転子Ａと股下Ｂとを直線的に結ぶラインＤ２は、直立時と脚上げ時とで間隔及び形状の変化が殆どないということが分かる。
【００３５】
これに対し、ボトム衣類１では、図３等に示したように、着用状態において結合ラインＬ１との交差位置Ｐ２から股下位置Ｐ３までの後身頃４側のラインＬ３に直線部分Ｌｃが形成されるように、裾口部７に湾曲部分Ｌｂが形成されている。このような構成により、着用状態において、裾口部７の後身頃４側のラインＬ３が着用者の大転子と股下とを直線的に結ぶように宛がわれる。したがって、裾口部７のラインＬ３を臀部での皮膚の動きの少ない部分に沿わせることが可能となり、裾口部７のずれ上がりをより確実に防止できる。本実施形態では、本体部２の側中心線Ｘと裾口部７との交差位置Ｐ２が大転子の位置に対応している。大転子の位置は、着用者の動作に対して動きが少なく、交差位置Ｐ２を大転子の位置に対応させることにより、裾口部７の位置を一層安定させることができる。
【００３６】
図８は、ボトム衣類の作用効果を示す図である。同図に示す例では、ボトム衣類１と同等の構成を有するショーツを着用した状態で着用者に運動を行わせ、裾口部７の後身頃４側のラインＬ３のずれ上がりの様子を観察したものである。図８（ａ）に示すように、ショーツを着用後、裾口部における後身頃側のラインに沿って着用者の皮膚に印を付し、その状態で３回の屈伸運動を行わせた。
【００３７】
図８（ｂ）は、運動後のショーツの状態を示す図である。運動後の着用者の皮膚の印のそれぞれからショーツの裾口部に向かって垂線を引き、印と裾口部との間隔を測定したところ、当該間隔は、０ｍｍ〜１０ｍｍ程度に抑えられていた。したがって、ボトム衣類１の構成が裾口部７のずれ上がりを好適に抑制できることが確認できた。
［伸長率及び伸張回復率の測定］
【００３８】
伸長率及び伸長回復率の測定は、例えば定速伸長形引張試験機を用いて実施できる。この試験では、例えば１６０ｍｍ×２５ｍｍの帯状に切り出した試験片を縦方向及び横方向にそれぞれ４枚ずつ用意し、２枚を伸長率試験用、もう２枚を伸長回復率試験用とする。
【００３９】
伸長率試験では、試験片を上部つかみ２５ｍｍ、下部つかみ３５ｍｍ、つかみ間隔１００ｍｍとして試験機にセットし、３００ｍｍ±２０ｍｍ／ｍｉｎの速度で、最大２．２５ｋｇｆ（２２．１Ｎ）の荷重をかける。そして、荷重１．００ｋｇｆ（９．８Ｎ）、荷重１．５０ｋｇｆ（１４．７Ｎ）、及び荷重２．２５ｋｇｆ（２２．１Ｎ）の場合の伸び率（％）を測定し、２枚のサンプルの平均値の整数位を伸長率として算出する。
【００４０】
伸長回復率試験では、伸長率試験と同様に試験片を試験機にセットする。次に、所定の伸度設定条件を用いて伸度を設定し、３００ｍｍ±２０ｍｍ／ｍｉｎの速度で伸長・回復を３回繰り返し、縦軸を荷重、横軸を伸び率とする荷重−伸び率曲線を算出する。この曲線に基づいて、１回目と３回目の試験結果から伸長力及び緊迫力を測定し、これらの平均値の整数位を算出する。なお、ここでの伸長力とは、上昇時の荷重であり、緊迫力とは、下降時の荷重である。
【００４１】
伸度設定条件は、伸長率試験での１．５０ｋｇｆ時の伸び率に基づいて設定される。例えば伸張率試験での１．５０ｋｇｆ時の伸び率が８０％以上である場合には、伸長力及び緊迫力の読み取り伸び率（荷重の測定点）を１５％、３０％、５０％、及び８０％とし、伸張率試験での１．５０ｋｇｆ時の伸び率が６０％以上８０％未満である場合には、伸長力及び緊迫力の読み取り伸び率を１０％、３０％、４０％、及び６０％とする。また、伸張率試験での１．５０ｋｇｆ時の伸び率が４０％以上６０％未満である場合には、伸長力及び緊迫力の読み取り伸び率を１０％、２０％、３０％、及び４０％とする。
【００４２】
伸長回復率は、１回目の荷重−伸び曲線に基づいて算出される。算出式は、設定伸度をＬ、残留伸び（伸長回復後の元の長さに対する伸び率）をＬ０とした場合に、（（Ｌ−Ｌ０）／Ｌ）×１００（％）となる。最終的に、２枚のサンプルの平均値の整数位を伸長回復率として算出する。
［変形例］
【００４３】
本発明は、上記実施形態に限られるものではない。例えば上記実施形態では、前身頃３及び後身頃４が同素材で形成されているが、後身頃４のみが縦方向に対する伸縮性が横方向に対する伸縮性と等しい若しくは大きい素材によって構成されていてもよい。
【００４４】
上記実施形態では、前身頃３と後身頃４との結合ラインＬ１は、全体にわたって後身頃４側が凸となるように緩やかに湾曲する湾曲部分Ｌａとなっているが、結合ラインＬ１の一部（例えば中央部分）のみが湾曲部分となっていてもよい。また、湾曲部分Ｌａを形成せず、前身頃３と後身頃４との結合ラインＬ１を直線状としてもよい。
【００４５】
上記実施形態では、着用状態において結合ラインＬ１との交差位置Ｐ２から股下位置Ｐ３までの後身頃４側のラインＬ３が全体にわたって直線部分Ｌｃとなるように裾口部７の湾曲部分Ｌｂの形状が設定されているが、直線部分Ｌｃは、着用状態において裾口部７における後身頃４側のラインＬ３の少なくとも一部に形成されるものでもよい。
【００４６】
上記実施形態では、ボトム衣類として女性用のショーツを例示したが、本構成は、男性用のパンツ、水着、ガードルといった各種のボトム衣類にも適用可能である。
【符号の説明】
【００４７】
１…ボトム衣類、２…本体部、３…前身頃、４…後身頃、５…側部、６…腰部、７…裾口部、１１…ギャザー、Ｌ１…結合ライン、Ｌ２…腰部周りのライン、Ｌ３…裾口部のライン、Ｌａ…湾曲部分、Ｌｂ…湾曲部分、Ｌｃ…直線部分、Ｐ２…交差位置、Ｐ３…股下位置。
【要約】
ボトム衣類（１）は、腰部（６）、側部（５）、及び裾口部（７）を有する本体部（２）を備え、本体部（２）は、側部（５）において腰部（６）と裾口部（７）とを結ぶ結合ライン（Ｌ１）に沿って前身頃（３）と後身頃（４）とを結合して構成され、後身頃（４）は、縦方向及び横方向に伸縮性を有する素材によって形成されていると共に、縦方向に対する伸縮性が横方向に対する伸縮性よりも等しく若しくは大きくなっており、腰部（６）周りのライン（Ｌ２）と結合ライン（Ｌ１）とにそれぞれギャザー（１１）が設けられている。【図１】
0005954499.tif 000002
【図２】
0005954499.tif 000003
【図３】
0005954499.tif 000004
【図４】
0005954499.tif 000005
【図５】
0005954499.tif 000006
【図６】
0005954499.tif 000007
【図７】
0005954499.tif 000008
【図８】
0005954499.tif 000009